【手続補正書】
【提出日】令和1年6月28日(2019.6.28)
【手続補正１】
【補正対象書類名】特許請求の範囲
【補正対象項目名】全文
【補正方法】変更
【補正の内容】
【特許請求の範囲】
【請求項１】
複数の光電変換部をそれぞれ含む複数の単位画素が行列状に配置され、第１の行群内に位置する前記単位画素は、前記単位画素に含まれる前記複数の光電変換部でそれぞれ発生した電荷を合成することによって得られる合成電荷に応じた信号を読み出す第１のモードで読み出され、前記第１の行群とは異なる第２の行群内に位置する前記単位画素は、前記単位画素に含まれる前記複数の光電変換部のうちのいずれかで発生した電荷に応じた信号を読み出す第２のモードで読み出される画素アレイと、
前記画素アレイの受光画素領域に位置する前記単位画素から前記第１のモードで読み出される信号を補正するための第１の補正値と、前記受光画素領域に位置する前記単位画素から前記第２のモードで読み出される信号を補正するための、前記第１の補正値とは異なる第２の補正値とを、前記画素アレイの基準画素領域に位置する前記単位画素から読み出される信号に基づいてそれぞれ生成する補正値生成部と、
前記受光画素領域に位置する前記単位画素から前記第１のモードで読み出される信号を前記第１の補正値を用いて補正し、前記受光画素領域に位置する前記単位画素から前記第２のモードで読み出される信号を前記第２の補正値を用いて補正する補正部と
を有することを特徴とする撮像装置。
【請求項２】
前記基準画素領域に位置する前記単位画素から前記第１のモードで順次読み出される信号の平均値を求める第１の平均化部と、
前記基準画素領域に位置する前記単位画素から前記第２のモードで順次読み出される信号の平均値を求める第２の平均化部とを更に有し、
前記補正値生成部は、前記第１の平均化部によって得られた前記平均値に基づいて前記第１の補正値を生成し、前記第２の平均化部によって得られた前記平均値に基づいて前記第２の補正値を生成する
ことを特徴とする請求項１に記載の撮像装置。
【請求項３】
前記基準画素領域に位置する前記単位画素から前記第１のモードで順次読み出される信号と、前記基準画素領域に位置する前記単位画素から前記第２のモードで順次読み出される信号に第１のゲインを乗算することにより得られる信号との平均値を求める平均化部を更に有し、
前記補正値生成部は、前記平均化部によって得られた前記平均値に基づいて前記第１の補正値を生成し、前記平均化部によって得られた前記平均値に第２のゲインを乗算することにより得られる値に基づいて前記第２の補正値を生成する
ことを特徴とする請求項１に記載の撮像装置。
【請求項４】
前記基準画素領域に位置する前記単位画素から前記第１のモードで順次読み出される前記信号の平均値を求める平均化部を更に有し、
前記補正値生成部は、前記平均化部によって得られた前記平均値に基づいて前記第１の補正値を生成し、前記平均化部によって得られた前記平均値に第２のゲインを乗算することにより得られる値に基づいて前記第２の補正値を生成する
ことを特徴とする請求項１に記載の撮像装置。
【請求項５】
前記第１のゲインは、１より大きい
ことを特徴とする請求項３に記載の撮像装置。
【請求項６】
前記第２のゲインは、１未満である
ことを特徴とする請求項３又は４に記載の撮像装置。
【請求項７】
前記基準画素領域に位置する前記単位画素から前記第１のモードで順次読み出される前記信号の平均値を求める第１の平均化部と、
前記基準画素領域に位置する前記単位画素から前記第２のモードで順次読み出される前記信号の平均値を求める第２の平均化部と、
前記第１の平均化部によって得られた前記平均値と前記第２の平均化部によって得られた前記平均値との差分に基づいて第１のオフセット値を算出するオフセット算出部と、
前記第１の平均化部によって得られた前記平均値に基づいて第３の補正値を生成する他の補正値生成部と、
前記基準画素領域に位置する前記単位画素から前記第１のモードで読み出される信号、前記受光画素領域に位置する前記単位画素から前記第１のモードで読み出される信号、及び、前記受光画素領域に位置する前記単位画素から前記第２のモードで読み出される信号を前記第３の補正値を用いてそれぞれ補正する他の補正部と、
前記基準画素領域に位置する前記単位画素から前記第１のモードで順次読み出される信号を前記他の補正部によって補正することにより得られる信号の平均値を求める第３の平均化部とを更に有し、
前記補正値生成部は、前記第３の平均化部によって得られた前記平均値に基づいて前記第１の補正値を生成し、前記第３の平均化部によって得られた前記平均値と前記第１のオフセット値とに基づいて前記第２の補正値を生成し、
前記補正部は、前記受光画素領域に位置する前記単位画素から前記第１のモードで読み出される前記信号を前記他の補正部によって補正することにより得られる信号を前記第１の補正値を用いて補正し、前記受光画素領域に位置する前記単位画素から前記第２のモードで読み出される前記信号を前記他の補正部によって補正することにより得られる信号を前記第２の補正値を用いて補正する
ことを特徴とする請求項１に記載の撮像装置。
【請求項８】
前記受光画素領域に位置する複数の前記単位画素は、焦点検出に用いられる画素である第１の単位画素と、前記焦点検出に用いられない画素である第２の単位画素とを含み、
前記基準画素領域に位置する複数の前記単位画素は、前記第１の単位画素に対しての基準となる第３の単位画素と、前記第２の単位画素に対しての基準となる第４の単位画素とを含み、
前記第３の単位画素から前記第１のモードで順次読み出される信号の平均値を求める第４の平均化部を更に有し、
前記オフセット算出部は、前記第１の平均化部によって得られた前記平均値と前記第４の平均化部によって得られた前記平均値との差分に基づいて第２のオフセット値を算出し、
前記第１の補正値は、前記第２の単位画素から前記第１のモードで読み出される前記信号を補正するための補正値であり、
前記補正値生成部は、前記第１の単位画素から前記第１のモードで読み出される信号を補正するための第４の補正値を、前記第３の平均化部によって得られた前記平均値と前記第２のオフセット値とに基づいて更に生成する
ことを特徴とする請求項７に記載の撮像装置。
【請求項９】
複数の光電変換部をそれぞれ含む複数の単位画素が行列状に配置された画素アレイの第１の行群内に位置する前記単位画素から信号を読み出すステップであって、前記単位画素に含まれる前記複数の光電変換部でそれぞれ発生した電荷を合成することによって得られる合成電荷に応じた信号を読み出す第１のモードで前記信号を読み出すステップと、
前記画素アレイの受光画素領域に位置する前記単位画素から前記第１のモードで読み出される信号を補正するための第１の補正値を、前記画素アレイの基準画素領域に位置する前記単位画素から読み出される信号に基づいて生成するステップと、
前記受光画素領域に位置する前記単位画素から前記第１のモードで読み出された信号を、前記第１の補正値を用いて補正するステップと、
前記第１の行群とは異なる第２の行群内に位置する前記単位画素から信号を読み出すステップであって、前記単位画素に含まれる前記複数の光電変換部のうちのいずれかで発生した電荷に応じた信号を読み出す第２のモードで前記信号を読み出すステップと、
前記受光画素領域に位置する前記単位画素から前記第２のモードで読み出される信号を補正するための、前記第１の補正値とは異なる第２の補正値を、前記画素アレイの基準画素領域に位置する前記単位画素から読み出される信号に基づいて生成するステップと、
前記受光画素領域に位置する前記単位画素から前記第２のモードで読み出された信号を、前記第２の補正値を用いて補正するステップと
を有することを特徴とする撮像方法。
【請求項１０】
コンピュータに、
複数の光電変換部をそれぞれ含む複数の単位画素が行列状に配置された画素アレイの第１の行群内に位置する前記単位画素から信号を読み出すステップであって、前記単位画素に含まれる前記複数の光電変換部でそれぞれ発生した電荷を合成することによって得られる合成電荷に応じた信号を読み出す第１のモードで前記信号を読み出すステップと、
前記画素アレイの受光画素領域に位置する前記単位画素から前記第１のモードで読み出される信号を補正するための第１の補正値を、前記画素アレイの基準画素領域に位置する前記単位画素から読み出される信号に基づいて生成するステップと、
前記受光画素領域に位置する前記単位画素から前記第１のモードで読み出された信号を、前記第１の補正値を用いて補正するステップと、
前記第１の行群とは異なる第２の行群内に位置する前記単位画素から信号を読み出すステップであって、前記単位画素に含まれる前記複数の光電変換部のうちのいずれかで発生した電荷に応じた信号を読み出す第２のモードで前記信号を読み出すステップと、
前記受光画素領域に位置する前記単位画素から前記第２のモードで読み出される信号を補正するための、前記第１の補正値とは異なる第２の補正値を、前記画素アレイの基準画素領域に位置する前記単位画素から読み出される信号に基づいて生成するステップと、
前記受光画素領域に位置する前記単位画素から前記第２のモードで読み出された信号を、前記第２の補正値を用いて補正するステップと
を実行させるためのプログラム。
【請求項１１】
複数の光電変換部をそれぞれ含む複数の単位画素が行列状に配置された画素アレイと、
前記単位画素に含まれる前記複数の光電変換部でそれぞれ発生した電荷を合成することによって得られる合成電荷に応じた信号を読み出す第１のモードと、前記単位画素に含まれる前記複数の光電変換部のうちのいずれかで発生した電荷に応じた信号を読み出す第２のモードとのいずれかで前記画素アレイを駆動する駆動部と、
前記画素アレイの受光画素領域に位置する前記単位画素から前記第１のモードで読み出される信号を補正するための第１の補正値と、前記受光画素領域に位置する前記単位画素から前記第２のモードで読み出される信号を補正するための、前記第１の補正値とは異なる第２の補正値とを、前記画素アレイの基準画素領域に位置する前記単位画素から読み出される信号に基づいてそれぞれ生成する補正値生成部と、
前記受光画素領域に位置する前記単位画素から前記第１のモードで読み出される信号を前記第１の補正値を用いて補正し、前記受光画素領域に位置する前記単位画素から前記第２のモードで読み出される信号を前記第２の補正値を用いて補正する補正部と
を有することを特徴とする撮像装置。
【請求項１２】
前記基準画素領域に位置する前記単位画素から前記第１のモードで順次読み出される信号の平均値を求める第１の平均化部と、
前記基準画素領域に位置する前記単位画素から前記第２のモードで順次読み出される信号の平均値を求める第２の平均化部と
を更に有し、
前記補正値生成部は、前記第１の平均化部によって得られた前記平均値に基づいて前記第１の補正値を生成し、前記第２の平均化部によって得られた前記平均値に基づいて前記第２の補正値を生成することを特徴とする請求項１１に記載の撮像装置。
【請求項１３】
前記基準画素領域に位置する前記単位画素から前記第１のモードで順次読み出される信号と、前記基準画素領域に位置する前記単位画素から前記第２のモードで順次読み出される信号に第１のゲインを乗算することにより得られる信号との平均値を求める平均化部を更に有し、
前記補正値生成部は、前記平均化部によって得られた前記平均値に基づいて前記第１の補正値を生成し、前記平均化部によって得られた前記平均値に第２のゲインを乗算することにより得られる値に基づいて前記第２の補正値を生成することを特徴とする請求項１１に記載の撮像装置。
【請求項１４】
前記基準画素領域に位置する前記単位画素から前記第１のモードで順次読み出される信号の平均値を求める平均化部を更に有し、
前記補正値生成部は、前記平均化部によって得られた前記平均値に基づいて前記第１の補正値を生成し、前記平均化部によって得られた前記平均値に第２のゲインを乗算することにより得られる値に基づいて前記第２の補正値を生成することを特徴とする請求項１１に記載の撮像装置。
【請求項１５】
前記第１のゲインは、１より大きいことを特徴とする請求項１３に記載の撮像装置。
【請求項１６】
前記第２のゲインは、１未満であることを特徴とする請求項１３に記載の撮像装置。
【請求項１７】
前記基準画素領域に位置する前記単位画素から前記第１のモードで順次読み出される信号の平均値を求める第１の平均化部と、
前記基準画素領域に位置する前記単位画素から前記第２のモードで順次読み出される信号の平均値を求める第２の平均化部と、
前記第１の平均化部によって得られた前記平均値と前記第２の平均化部によって得られた前記平均値との差分に基づいて第１のオフセット値を算出するオフセット算出部と、
前記第１の平均化部によって得られた前記平均値に基づいて第３の補正値を生成する他の補正値生成部と、
前記基準画素領域に位置する前記単位画素から前記第１のモードで読み出される信号、前記受光画素領域に位置する前記単位画素から前記第１のモードで読み出される信号、及び、前記受光画素領域に位置する前記単位画素から前記第２のモードで読み出される信号を前記第３の補正値を用いてそれぞれ補正する他の補正部と、
前記基準画素領域に位置する前記単位画素から前記第１のモードで順次読み出される信号を前記他の補正部によって補正することにより得られる信号の平均値を求める第３の平均化部と
を更に有し、
前記補正値生成部は、前記第３の平均化部によって得られた前記平均値に基づいて前記第１の補正値を生成し、前記第３の平均化部によって得られた前記平均値と前記第１のオフセット値とに基づいて前記第２の補正値を生成し、
前記補正部は、前記受光画素領域に位置する前記単位画素から前記第１のモードで読み出される前記信号を前記他の補正部によって補正することにより得られる信号を前記第１の補正値を用いて補正し、前記受光画素領域に位置する前記単位画素から前記第２のモードで読み出される前記信号を前記他の補正部によって補正することにより得られる信号を前記第２の補正値を用いて補正することを特徴とする請求項１１に記載の撮像装置。
【請求項１８】
前記受光画素領域に位置する複数の前記単位画素は、焦点検出に用いられる画素である第１の単位画素と、前記焦点検出に用いられない画素である第２の単位画素とを含み、
前記基準画素領域に位置する複数の前記単位画素は、前記第１の単位画素に対しての基準となる第３の単位画素と、前記第２の単位画素に対しての基準となる第４の単位画素とを含み、
前記第３の単位画素から前記第１のモードで順次読み出される信号の平均値を求める第４の平均化部を更に有し、
前記オフセット算出部は、前記第１の平均化部によって得られた前記平均値と前記第４の平均化部によって得られた前記平均値との差分に基づいて第２のオフセット値を算出し、
前記第１の補正値は、前記第２の単位画素から前記第１のモードで読み出される信号を補正するための補正値であり、
前記補正値生成部は、前記第１の単位画素から前記第１のモードで読み出される信号を補正するための第４の補正値を、前記第３の平均化部によって得られた前記平均値と前記第２のオフセット値とに基づいて更に生成することを特徴とする請求項１７に記載の撮像装置。
【請求項１９】
複数の光電変換部をそれぞれ含む複数の単位画素が行列状に配置された画素アレイと、
前記単位画素に含まれる前記複数の光電変換部でそれぞれ発生した電荷を合成することによって得られる合成電荷に応じた信号を読み出す第１のモードと、前記単位画素に含まれる前記複数の光電変換部のうちのいずれかで発生した電荷に応じた信号を読み出す第２のモードとのいずれかで前記画素アレイを駆動する駆動部と、
前記画素アレイの受光画素領域に位置する前記単位画素から前記第２のモードで読み出される信号を独立して用いない行の信号を補正するための第１の補正値と、前記受光画素領域に位置する前記単位画素から前記第２のモードで読み出される信号を独立して用いる行の信号を補正するための、前記第１の補正値とは異なる第２の補正値とを、前記画素アレイの基準画素領域に位置する前記単位画素から読み出される信号に基づいてそれぞれ生成する補正値生成部と、
前記受光画素領域に位置する前記単位画素から前記第１のモードで読み出される信号を前記第１の補正値を用いて補正し、前記受光画素領域に位置する前記単位画素から前記第２のモードで読み出される信号を前記第２の補正値を用いて補正する補正部と
を有することを特徴とする撮像装置。